(57)【要約】      （修正有）【課題】掘削工事で周囲を掘削された構造物の近くを工事中断中でも安心して通行できるようにする覆工板を提供する。【解決手段】覆工板１は、本体２を備える。本体２は平面形状を有し、かつ、凹形状縁部３を有する。凹形状縁部３の凹形状は湾曲形状である。本体２の表面には複数の凸部４が設けられている。凹形状縁部３とは異なる縁部に反射テープ５が設けられている。反射テープ５は光を反射可能である。隣り合うと共に反射テープ５が設けられた縁部同士が形成する内側の角度の範囲は９０°超１８０°未満である。本体２の角部６に隣接する領域に、一方の面と、この一方の面の反対側にある他方の面との間を貫通した貫通孔７が形成されている。【選択図】図１
2019100129.tif 000002
【特許請求の範囲】
【請求項１】
平面形状を有し、かつ、凹形状の縁部を有する本体と、
該本体の表面に設けられた複数の凸部と、
前記凹形状の縁部とは異なる縁部に設けられた、光を反射可能な反射部とを備える
覆工板。
【請求項２】
前記凹形状は湾曲形状である
請求項１に記載の覆工板。
【請求項３】
隣り合うと共に前記反射部が設けられた縁部同士が形成する内側の角度の範囲は、９０°超１８０°未満である
請求項１または請求項２に記載の覆工板。
【請求項４】
前記本体は、隣り合う縁部同士が接続して形成された角部を有し、
該角部に隣接する所定の領域に、一方の面と、この一方の面の反対側にある他方の面との間を貫通した貫通孔が形成された
請求項１、請求項２または請求項３に記載の覆工板。
【発明の詳細な説明】
【技術分野】
【０００１】
本発明は覆工板に関する。詳しくは、例えば掘削工事にて電柱などの構造物の周囲に形成された掘削穴を覆うための覆工板に係るものである。
【背景技術】
【０００２】
側溝が設けられた道路に電柱を新たに設置する場合、道路の有効幅を確保する必要があるため、側溝を避けて電柱を設置することはできない。
【０００３】
そのため、側溝に電柱を設置する必要があるが、そのまま側溝に電柱を設置すると側溝内の流れを電柱が妨げてしまうおそれがあり問題である。
そこで、電柱を設置する工事と共に、電柱に沿って迂回する側溝が設けられている。
【０００４】
このような迂回側溝を設ける工事を行う場合、電柱を設置する位置の側溝を壊し、電柱を設置しようという位置を約１．５ｍ掘削する。
さらに、電柱設置予定位置に沿うように、道路を掘削する。
【０００５】
次に、掘削して形成された穴に電柱を立設する。
そして、電柱に沿う形状を有するコンクリート製の迂回側溝を、掘削して形成された穴に配置する。
【０００６】
最後に電柱の周囲をコンクリートなどで硬化し、さらに迂回側溝を蓋で覆う。
【０００７】
このような一連の工事を一日で完成させることができればよいが、通常は複数日に渡って行われる。
従って、例えば掘削穴がまだ塞がれていない状態で工事を中断しなければならない場合、仮の蓋などで掘削穴を覆っていなければ、掘削穴の近くを通行する通行人などが掘削穴に落ちてしまうおそれがある。
【０００８】
そこで従来、このような掘削穴を仮に覆うために、覆工板と呼ばれる部材が使用されてきた。
そして従来、様々な覆工板が提案されている。
【０００９】
例えば特許文献１には、図５に示すような覆工板が記載されている。
すなわち、特許文献１に記載の覆工板１００は、ガラス繊維強化樹脂（ＧＦＲＰ）からなる厚板状の中芯材１０１を備える。
また、覆工板１００は、中芯材１０１の表裏両面に取付けられた炭素繊維強化樹脂（ＣＦＲＰ）層（１０２Ａ、１０２Ｂ）を備える。
また、覆工板１００は、一方のＣＦＲＰ層１０２Ａの外側表面に取付けられた滑り止め層１０３を備える。
【００１０】
また、中芯材１０１には、肉厚中心に沿って断面長方形の肉抜き孔１１１が貫通して形成されており、中空状に肉抜きされている。
【００１１】
また、図５に示すように３個の肉抜き孔１１１が並べて設けられており、肉抜き孔１１１と肉抜き孔１１１の間にはウエブ１１２が残されている。
このウエブ１１２により、中芯材１０１の表裏両壁を一体に連結してある。
【００１２】
このような構成の覆工板１０１は、図５に示すように、道路に掘られた溝１１３の上に掛け渡して設置される。
【先行技術文献】
【特許文献】
【００１３】
【特許文献１】実用新案登録第３０１３０６６号公報
【発明の概要】
【発明が解決しようとする課題】
【００１４】
しかしながら、特許文献１に記載の覆工板の縁部は直線状であるため、曲面を有する構造物例えば電柱の周囲に形成された掘削穴を覆う場合、覆工板が電柱に沿って配置され難いため、電柱の周囲に配置できる覆工板の面積が小さい、すなわち覆工板と電柱との間に隙間が形成され易い。
従って、電柱などの構造物の周囲の工事中断中に、通行人が構造物の近くを通行する際は、覆工板と構造物との間に形成された隙間に足などが落ち込んでしまうおそれがあり、通行人は安心して構造物の近くを通行できなかった。
【００１５】
本発明は、以上の点に鑑みて創案されたものであり、掘削工事で周囲を掘削された構造物の近くを工事中断中でも安心して通行できるようにすることができる覆工板を提供することを目的とする。
【課題を解決するための手段】
【００１６】
上記の目的を達成するために、本発明の覆工板は、平面形状を有し、かつ、凹形状の縁部を有する本体と、該本体の表面に設けられた複数の凸部と、前記凹形状の縁部とは異なる縁部に設けられた、光を反射可能な反射部とを備える。
【００１７】
ここで、凹形状の縁部を有する本体によって、構造物例えば電柱に沿って本体を配置することができ、電柱の周囲に配置できる本体の面積を増大させることができる。
また、本体の表面に設けられた複数の凸部によって、例えば濡れた覆工板上を通行しても、通行人は滑って転倒し難い。
【００１８】
また、凹形状の縁部とは異なる縁部に設けられた、光を反射可能な反射部によって、通行人は覆工板の存在を気付き易くなり、通行人のつまずきを抑制することができる。
【００１９】
また、本発明の覆工板において、凹形状は湾曲形状である構成とすることができる。
この場合、構造物が例えば電柱であれば、覆工板を電柱に密接させることができる。
【００２０】
さらに、本発明の覆工板において、隣り合うと共に反射部が設けられた縁部同士が形成する内側の角度の範囲は、９０°超１８０°未満である構成とすることができる。
【００２１】
この場合、反射部が設けられた縁部は多角形状となり、反射部が例えば反射テープであれば、縁部が円弧状である場合よりも反射テープを縁部に取付け易い。
【００２２】
また、本発明の覆工板は、本体は、隣り合う縁部同士が接続して形成された角部を有し、角部に隣接する所定の領域に、一方の面と、この一方の面の反対側にある他方の面との間を貫通した貫通孔が形成された構成とすることができる。
【００２３】
この場合、貫通孔に紐を挿通して、覆工板同士を連結して覆工板のズレを抑制することができ、また、掘削されて形成された掘削穴が広範囲に及んでいても、掘削穴を覆うことができる。
また、覆工板同士を連結できるので個々の覆工板を可能な限り小さくでき、重機などを使って覆工板の運搬や収納を行う必要がなく、覆工板の運搬や収納を簡易化することができる。
【発明の効果】
【００２４】
本発明に係る覆工板は、掘削工事で周囲を掘削された構造物の近くを工事中断中でも安心して通行できるようにすることができる。
【図面の簡単な説明】
【００２５】
【図１】本発明を適用した覆工板の一例を示す概略図である。
【図２】本発明を適用した覆工板の他の例を示す概略図である。
【図３】電柱の周囲に掘削穴が形成された状態の概略平面図（ａ）と、電柱の周囲の掘削穴が本発明を適用した覆工板で覆われた状態の概略平面図（ｂ）である。
【図４】図１に示した本発明を適用した覆工板と図２に示した本発明を適用した覆工板を用いて、電柱の周囲の掘削穴を覆った状態の概略平面図である。
【図５】従来の覆工板を示す概略図である。
【発明を実施するための形態】
【００２６】
以下、本発明の実施の形態について図面を参照しながら説明し、本発明の理解に供する。
図１は、本発明を適用した覆工板の一例を示す概略図である。
【００２７】
図１に示す本発明の覆工板１は、鋼鉄製の本体２を備える。
ここで、本体２は平面形状を有し、かつ、凹形状縁部３を有する。
また、凹形状縁部３の凹形状は、図１に示すように湾曲形状である。
本体２の厚さは例えば４．７ｍｍである。
【００２８】
本発明の覆工板１が備える本体２が凹形状縁部３を有するので、構造物例えば電柱の曲面に沿って凹形状縁部３を配置することができる。
従って、電柱の周囲に配置できる本体２の面積を増大させることができる。
【００２９】
また、図１に示すように、凹形状縁部３以外の本体２の縁部は直線状である。
【００３０】
また、本発明の覆工板１は、本体２の表面に設けられた複数の凸部４を備える。
本発明の覆工板１が複数の凸部４を備えるので、例えば本体２が雨などで濡れていても、通行人は滑って転倒し難い。
【００３１】
また、本発明の覆工板１は、反射テープ５を備える。
ここで、反射テープ５は、凹形状縁部３とは異なる縁部に設けられている。また、反射テープ５は、光を反射可能である。
また、反射テープは反射部の一例である。
【００３２】
また、光を反射可能であり、かつ、本体の凹形状の縁部とは異なる縁部に設けることができるのであれば、必ずしも反射部は反射テープでなくてもよい。
例えば、光を反射できる塗料を、本体の凹形状の縁部とは異なる縁部に塗布して反射部とすることができる。
また、図１に示すように、反射テープ５は、直線状の縁部が延びる方向と同じ方向へ直線状に延びている。
【００３３】
本発明の覆工板１が反射テープ５すなわち反射部を備えるので、通行人は本発明の覆工板の存在を気付き易くなり、通行人のつまずきを抑制することができる。
【００３４】
また、図１に示す例では、隣り合うと共に反射テープ５が取付けられた縁部同士が形成する内側の領域は２箇所あるが、その内側の角度は例えば１３３°や１５０°であるが、この角度に限定されないことは勿論である。
すなわち、隣り合うと共に反射部が設けられた縁部同士が形成する内側の角度の範囲は、９０°超１８０°未満であり、この範囲内であれば適宜角度を変更できることは勿論である。
【００３５】
隣り合うと共に反射部が設けられた縁部同士が形成する内側の角度の範囲が９０°超１８０°未満であるので、反射部が設けられた縁部は多角形状となり、縁部が円弧状である場合よりも反射テープを縁部に取付け易い。
また、隣り合うと共に反射部が設けられた縁部同士が形成する内側の角度の範囲が９０°超１８０°未満であれば、隣り合うと共に反射部が設けられた縁部同士が形成する内側の角度が９０°である場合よりも、反射部が設けられる縁部の数を多くすることができる。
【００３６】
また、図１に示すように、凹形状縁部３と反射テープ５が設けられた縁部とは互いに直接繋がってはいない。
【００３７】
また、本発明の覆工板１が備える本体２は、角部６を有する。
ここで、図１に示すように角部６は、隣り合う縁部同士が接続して形成されたものである。
【００３８】
また、角部６に隣接する所定の領域に、一方の面と、この一方の面の反対側にある他方の面との間を貫通した貫通孔７が形成されている。
【００３９】
本体２の角部６に隣接する所定の領域に貫通孔７が形成されているので、貫通孔７に例えば紐を挿通して、本発明の覆工板１同士を連結し、本発明の覆工板１のズレを抑制することができ、また、掘削されて形成された掘削穴が広範囲に及んでいても、掘削穴を覆うことができる。
また、本発明の覆工板同士を連結できるので個々の覆工板を可能な限り小さくでき、重機などを使って覆工板の運搬や収納を行う必要がなく、覆工板の運搬や収納を簡易化することができる。
【００４０】
また、必ずしも隣り合うと共に反射部が設けられた縁部同士が形成する内側の角度の範囲は、９０°超１８０°未満でなくてもよい。
しかし、この場合、反射部が設けられた縁部は多角形状であり、縁部が円弧状である場合よりも反射テープを縁部に取付け易いので好ましい。
【００４１】
また、必ずしも本体は鋼鉄製でなくてもよく、例えばガラス繊維強化樹脂製や炭素繊維強化樹脂製とすることもできる。
【００４２】
図２は、本発明を適用した覆工板の他の例を示す概略図である。
図２に示す本発明の覆工板２１は、鋼鉄製の本体２２を備える。
ここで、本体２２は、平面形状を有し、かつ、凹形状縁部２３を有する。
本体２２の厚さは例えば４．７ｍｍである。
【００４３】
本発明の覆工板２１が備える本体２２が凹形状縁部２３を有するので、構造物例えば電柱の曲面に沿って凹形状縁部２３を配置することができる。
従って、電柱の周囲に配置できる本体２２の面積を増大させることができる。
【００４４】
また、図２に示すように、凹形状縁部２３も含めて本体２２の縁部は直線状である。
また、図２に示すように、本発明の覆工板２１の本体２２は、２箇所に凹形状縁部２３を有している。
【００４５】
また、２つの凹形状縁部２３の凹形状はそれぞれ、図２に示すように略Ｌ字形状の縁部が互いに線対称に配置された形状となっている。
すなわち、図２に示すように凹形状縁部２３の形状を含めて、本体２２の縁部は全て直線状である。
【００４６】
また、本発明の覆工板２１は、本体２２の表面に設けられた複数の凸部２４を備える。
本発明の覆工板２１が複数の凸部２４を備えるので、例えば本体２２が雨などで濡れていても、通行人は滑って転倒し難い。
【００４７】
また、本発明の覆工板２１は、反射テープ２５を備える。
ここで、反射テープ２５は、凹形状縁部２３とは異なる縁部に設けられている。また、反射テープ２５は、光を反射可能である。
また、図２に示すように、反射テープ２５は、直線状の縁部が延びる方向と同じ方向へ直線状に延びている。
【００４８】
本発明の覆工板２１が反射テープ２５を備えるので、通行人は本発明の覆工板の存在を気付き易くなり、通行人のつまずきを抑制することができる。
【００４９】
また、図２から判るように本発明の覆工板２１において、本体２２の縁部同士が形成する内側の角度は、９０°や２７０°のみである。
また、図１に示す本発明の覆工板と異なり、図２に示す本発明の覆工板２１の本体２２は、直線状の縁部しか有していないので、どの縁部に対しても反射テープ２５を設け易い。
【００５０】
また、図２に示すように、凹形状縁部２３と反射テープ２５が設けられた縁部とは互いに直接繋がってはいない。
【００５１】
また、本発明の覆工板２１が備える本体２２は、角部２６を有する。
ここで、図２に示すように角部２６は、隣り合う縁部同士が接続して形成されたものである。
【００５２】
また、角部２６に隣接する所定の領域に、一方の面と、この一方の面の反対側にある他方の面との間を貫通した貫通孔２７が形成されている。
【００５３】
本体２２の角部２６に隣接する所定の領域に貫通孔２７が形成されているので、貫通孔２７に例えば紐を挿通して、本発明の覆工板２１同士もしくは本発明の覆工板１と本発明の覆工板２１とを連結し、本発明の覆工板（１、２１）のズレを抑制することができる。
【００５４】
また、掘削されて形成された掘削穴が広範囲に及んでいても、本発明の覆工板同士を連結していって、掘削穴を覆うことができる。
また、本発明の覆工板同士を連結できるので個々の覆工板を可能な限り小さくでき、重機などを使って覆工板の運搬や収納を行う必要がなく、覆工板の運搬や収納を簡易化することができる。
【００５５】
また、本発明の覆工板において、必ずしも角部に隣接する所定の領域に貫通孔が形成されていなくてもよい。
しかし、貫通孔が形成されていれば、貫通孔に紐を挿通して、覆工板同士を連結して覆工板のズレを抑制することができ、また、掘削されて形成された掘削穴が広範囲に及んでいても、掘削穴を覆うことができ、好ましい。
また、覆工板同士を連結できるので個々の覆工板を可能な限り小さくでき、重機などを使って覆工板の運搬や収納を行う必要がなく、覆工板の運搬や収納を簡易化することができるので好ましい。
【００５６】
また、本発明の覆工板の本体が有する角部は、必ずしも図に示したように尖っていなくてもよく、例えば湾曲していてもよい。
【００５７】
また、目的とする滑り難さに応じて、本発明の覆工板の本体の表面に設けられた凸部の密集度を適宜変更できることは勿論である。
【００５８】
また、図には本体の一方の表面に設けられた凸部を示しているが、この表面とは反対側の表面にも複数の凸部を設けることができる。
すなわち、本体の両方の表面に複数の凸部が設けられていれば、どちらか一方の表面は土やアスファルトに接するので、土やアスファルトとの間の摩擦係数が上がり、本体がズレ難くなる。
【００５９】
また、凹形状の縁部とは異なる縁部に反射部が設けられていれば、凹形状の縁部にも反射部を設けることができる。
【００６０】
また、反射部が設けられた縁部から離れる方向へ所定の範囲で徐々に本体の厚みを大きくすることもできる。すなわち、反射部が設けられた縁部から所定の範囲で傾斜させることもできる。
このような構成にすることで、通行人の足が本体の縁部に当たっても通行人はつまずき難い。
【００６１】
また、図２に示した凹形状縁部２３は、２つとも同じ形状であるが、必ずしも２つの凹形状縁部の形状は互いに同じでなくてもよく、例えば、一方の凹形状縁部は図１に示すような湾曲形状を有することができ、他方の凹形状縁部は図２に示すような略Ｌ字形状の縁部が互いに線対称に配置された形状を有することができる。
【００６２】
また、凹形状の縁部の数は必ずしも１つもしくは２つでなくてもよく、３つ以上とすることもできる。
【００６３】
また、滑り難くするという効果を低下させない限り、本発明の覆工板の本体の表面に設けられた複数の凸部によって様々な模様を示すことができ、例えば矢印や漫画のキャラクターを表示することができる。
【００６４】
図３は、電柱の周囲に掘削穴が形成された状態の概略平面図（ａ）と、電柱の周囲の掘削穴が本発明を適用した覆工板で覆われた状態の概略平面図（ｂ）である。
【００６５】
側溝が設けられた道路に新たに電柱を設置する場合、側溝の蓋１１を取除いた後に側溝を壊して掘削し、さらに電柱の設置予定位置を約１．５ｍ掘削する。
そして、電柱設置予定位置に沿うように道路を掘削し、約１．５ｍ掘削して形成された穴に電柱９を立設して、図３（ａ）に示すような状態とする。
【００６６】
すなわち、図３（ａ）に示すように、電柱９は側溝が延びる線上に立設されており、また、電柱９の周囲は掘削されて掘削穴１０が形成されている。
【００６７】
この後、電柱９に沿う形状を有するコンクリート製の迂回側溝を掘削穴１０に配置し、電柱９の周囲をコンクリートなどで硬化して、さらに迂回側溝を蓋で覆うが、このような段階に至るまでに複数日が必要となるため、その間は掘削穴１０が塞がれていない。
【００６８】
そこで、２つの本発明の覆工板１を、図３（ｂ）に示すように電柱９の周囲に配置して掘削穴１０を塞ぐ。
すなわち、２つの本発明の覆工板１の本体２が有する凹形状縁部３をそれぞれ電柱９に向けた状態で、２つの本発明の覆工板１を電柱９の周囲に配置する。
【００６９】
このとき、図３（ｂ）に示すように、２つの本発明の覆工板１として、凹形状縁部３の位置や反射テープ５が設けられた縁部の位置が互いに線対称となるものが使用され、本体２の直線状の縁部を互いに接触させて本発明の覆工板１を配置する。
【００７０】
そして、図３（ｂ）に示すように、２つの本発明の覆工板１の本体２それぞれに形成された貫通孔７に連結紐８を挿通して、２つの本発明の覆工板１を互いに連結する。
なお、２つの本発明の覆工板を互いに連結することができれば、必ずしも紐で連結しなくてもよく、例えば鉄製のワイヤーを貫通孔に挿通して２つの本発明の覆工板を連結することもできる。
【００７１】
図３（ｂ）に示すように、本発明の覆工板１の本体２は凹形状縁部３を有しているので、電柱９に沿って本体２を配置することができ、電柱９の周囲に配置する本体２の面積を大きくすることができる。
特に、凹形状縁部３の形状は湾曲形状であるので、本発明の覆工板１を電柱９に密接させることができる。
【００７２】
また、凹形状縁部３と反射テープ５が設けられた縁部とは互いに直接繋がってはいないので、図３（ｂ）に示すように、凹形状縁部３を電柱９に向けた状態で本発明の覆工板１を電柱９の周囲に配置すると、反射テープ５が設けられた縁部は、電柱９から離れた位置に配置された状態となる。
その結果、通行人が反射テープ５を視認し易い。
【００７３】
図４は、図１に示した本発明を適用した覆工板と図２に示した本発明を適用した覆工板を用いて、電柱の周囲の掘削穴を覆った状態の概略平面図である。
【００７４】
図４には示していないが、図２に示した本発明の覆工板２１は主に、電柱９の横に支線ワイヤーなどの構造物が存在する場合に使用される。
【００７５】
図４に示すように、本発明の覆工板１と本発明の覆工板２１を、電柱９の周囲に配置して掘削穴１０を塞ぐ。
すなわち、本発明の覆工板１の本体２が有する凹形状縁部３を電柱９に向けた状態で、本発明の覆工板１を電柱９の周囲に配置する。
さらに、本発明の覆工板２１の本体２２が有する凹形状縁部２３を電柱９に向けた状態で、本発明の覆工板２１を電柱９の周囲に配置する。
【００７６】
このとき、図４に示すように、本発明の覆工板１の直線状の縁部と、本発明の覆工板２１の直線状の縁部とを接触させて、本発明の覆工板１と本発明の覆工板２１とを配置する。
【００７７】
また、図４には示していないが、本発明の覆工板１の本体２に形成された貫通孔７と、本発明の覆工板２１の本体２２に形成された貫通孔２７に連結紐を挿通して、本発明の覆工板１と本発明の覆工板２１を互いに連結する。
【００７８】
また、凹形状縁部（３、２３）と反射テープ（５、２５）が設けられた縁部とは互いに直接繋がってはいないので、図４に示すように、凹形状縁部（３、２３）を電柱９に向けた状態で本発明の覆工板１と本発明の覆工板２１を電柱９の周囲に配置すると、反射テープ（５、２５）が設けられた縁部は、電柱９から離れた位置に配置された状態となる。
その結果、通行人が反射テープ（５、２５）を視認し易い。
【００７９】
また、図３や図４では、本発明の覆工板を２つ並べて配置した例を示しているが、本発明はこれに限定されるものではなく、本発明の覆工板を３つ以上並べて配置することもできるし、また、本発明の覆工板の本体が有する縁部の凹形状を例えば図３（ｂ）に示すような略Ｕ字形状として、本発明の覆工板を１つだけ配置することもできることは勿論である。
【００８０】
また、図３や図４では、並べて配置された本発明の２つの覆工板それぞれの本体表面に設けられた複数の凸部が示す模様が、互いに同じである例を示しているが、本発明はこれに限定されるものではなく、複数の凸部が示す模様を互いに異ならせることもできることは勿論である。
【００８１】
以上のように、本発明の覆工板は、凹形状縁部を有する本体を備えているので、構造物すなわち電柱に沿って本体を配置することができ、電柱の周囲に配置できる本体の面積を増大させることができる。
【００８２】
また、本発明の覆工板は、本体の表面に設けられた複数の凸部を備えているので、雨などで濡れた本発明の覆工板上を通行人が通行しても、通行人は滑って転倒し難い。
【００８３】
また、本発明の覆工板は、光を反射可能な反射部を備えているので、通行人は本発明の覆工板の存在を気付き易くなり、通行人のつまずきを抑制することができる。
【００８４】
従って、本発明の覆工板は、掘削工事で周囲を掘削された構造物の近くを工事中断中でも安心して通行できるようにすることができる。
【符号の説明】
【００８５】
１    覆工板
２    本体
３    凹形状縁部
４    凸部
５    反射テープ
６    角部
７    貫通孔
８    連結紐
９    電柱
１０    掘削穴
１１    蓋
２１    覆工板
２２    本体
２３    凹形状縁部
２４    凸部
２５    反射テープ
２６    角部
２７    貫通孔
【図１】
2019100129.tif 000003
【図２】
2019100129.tif 000004
【図３】
2019100129.tif 000005
【図４】
2019100129.tif 000006
【図５】
2019100129.tif 000007